(57)【特許請求の範囲】
【請求項１】
照明の使用時には光源を露出させ、照明の不使用時には前記光源をカバーで覆う構成の照明ユニットを備える電動工具であって、
前記光源は電動工具のハウジングの表面に固定されており、
前記カバーは、前記光源を覆う光源遮蔽位置から前記光源を露出させる光源露出位置まで回動可能なように、前記ハウジングに連結されており、
前記カバーの内側には、前記光源露出位置で、前記光源の光を前方に反射させる鏡面が設けられていることを特徴とする電動工具。
【請求項２】
請求項１に記載された電動工具であって、
前記光源及びカバーは、ハウジングの上面で、速度切替え用レバーの前側に配置されていることを特徴とする電動工具。
【請求項３】
請求項１又は請求項２のいずれかに記載された電動工具であって、
前記カバーが前記光源露出位置、あるいは前記光源遮蔽位置まで回動したときに、そのカバーと前記ハウジング間に設けられた突起と凹部とが弾性力で嵌合して、そのカバーが前記光源露出位置、あるいは前記光源遮蔽位置に保持され、
前記カバーを前記弾性力に抗して前記ハウジングに対して回動させることで、前記突起と凹部との嵌合が解除されることを特徴とする電動工具。
【請求項４】
請求項１から請求項３のいずれかに記載された電動工具であって、
前記カバーは、前記光源露出位置で前記ハウジングに対する傾斜角度を調整できるように構成されていることを特徴とする電動工具。
【請求項５】
請求項１から請求項３のいずれかに記載された電動工具であって、
鏡面は凸曲面状に形成されていることを特徴とする電動工具。
【発明の詳細な説明】
【技術分野】
【０００１】
本発明は、照明の使用時には光源を露出させ、照明の不使用時には前記光源をカバーで覆う構成の照明ユニットを備える電動工具に関する。
【背景技術】
【０００２】
これに関連する電動工具が特許文献１に記載されている。
前記電動工具は、図５（Ａ）（Ｂ）に示すように、ハウジング１０２の上面に凹部１０４が形成されており、その凹部１０４に上下回動可能な状態で照明ユニット１０５が収納されている。照明ユニット１０５は、アーム部１０６と、そのアーム部１０６の先端に設けられた光源収納部１０７と、前記アーム部１０６の基端部をハウジング１０２に対して上下回動可能に連結する連結部１０８とから構成されている。また、アーム部１０６には、光源収納部１０７に収納された光源１０７ｃに対して電力を供給するケーブル１０９が収納されている。
照明ユニット１０５を使用する場合には、前記アーム部１０６をハウジング１０２に対してほぼ直角に起立させる。これにより、アーム部１０６の光源収納部１０７に収納された光源１０７ｃが電動工具の前方を指向して、その電動工具の前方を照らせるようになる。
【０００３】
【特許文献１】実公平２−３４３３号
【発明の開示】
【発明が解決しようとする課題】
【０００４】
上記した照明ユニット１０５では、アーム部１０６に光源１０７ｃを収納する光源収納部１０７を設ける必要があり、また前記アーム部１０６に光源１０７ｃ用のケーブル１０９を通す必要がある。このため、アーム部１０６の構成が複雑になる。
また、アーム１０６を倒伏位置と起立位置との間で回動させる際、前記ケーブル１０９がハウジング１０２とアーム部１０６との間で延ばされたり、曲げられたりする。このため、ケーブル１０９の傷付き防止対策が必要になる。
【０００５】
本発明は、上記問題点を解決するためになされたものであり、本発明が解決しようとする課題は、照明ユニットの構成を簡素化することである。
【課題を解決するための手段】
【０００６】
上記した課題は、各請求項の発明によって解決される。
請求項１の発明は、照明の使用時には光源を露出させ、照明の不使用時には前記光源をカバーで覆う構成の照明ユニットを備える電動工具であって、前記光源は電動工具のハウジングの表面に固定されており、前記カバーは、前記光源を覆う光源遮蔽位置から前記光源を露出させる光源露出位置まで回動可能なように、前記ハウジングに連結されており、前記カバーの内側には、前記光源露出位置で、前記光源の光を前方に反射させる鏡面が設けられていることを特徴とする。
【０００７】
本発明によると、照明の使用時にはカバーを光源露出位置まで回動させて光源を露出させ、そのカバーの内側面に形成された鏡面で前記光源の光を前方に反射させる。また、照明の不使用時にはカバーを光源遮蔽位置まで回動させて前記光源をカバーで覆う。このように、照明の使用、不使用に係わらず、光源は電動工具のハウジングの表面から動かないため、その光源に電力を供給するケーブル等もハウジングに対して固定できる。即ち、照明ユニットの可動部分をカバーのみにでき、さらにカバーに光源の収納部を設ける必要がないため、照明ユニットの構成を簡素化できる。
【０００８】
請求項２の発明によると、光源及びカバーは、ハウジングの上面で、速度切替え用レバーの前側に配置されていることを特徴とする。
請求項３の発明によると、カバーが光源露出位置、あるいは光源遮蔽位置まで回動したときに、そのカバーと前記ハウジング間に設けられた突起と凹部とが弾性力で嵌合して、そのカバーが前記光源露出位置、あるいは前記光源遮蔽位置に保持され、前記カバーを前記弾性力に抗して前記ハウジングに対して回動させることで、前記突起と凹部との嵌合が解除されることを特徴とする。
このため、カバーを確実に光源露出位置及び光源遮蔽位置に保持できるようになる。
【０００９】
請求項４の発明によると、カバーは、光源露出位置でハウジングに対する傾斜角度を調整できるように構成されていることを特徴とする。
即ち、カバーの傾斜角度を調整することで、照明ユニットの光源が照らす位置を調整できる。
請求項５の発明によると、鏡面は凸曲面状に形成されていることを特徴とする。
このため、電動工具の前方を広範囲で照らせるようになる。
【発明の効果】
【００１０】
本発明によると、照明の使用、不使用に係わらず、光源は電動工具のハウジングの表面から動かないため、可動部分をカバーのみにでき、照明ユニットの構成を簡素化できる。
【発明を実施するための最良の形態】
【００１１】
（実施形態１）
以下、図１から図４に基づいて、本発明の実施形態１に係る電動工具の説明を行なう。本実施形態に係る電動工具は、電動ドライバドリルであり、図１に前記電動ドライバドリル（以下、電動工具という）を右前方から見た斜視図が示されている。図２は、その電動工具を右側から見た一部破断側面図、図３は図２のIII矢視部拡大図等、図４は照明ユニットの電気回路図である。
ここで、図中の前後左右及び上下は、電動工具の前後左右及び上下に対応している。
【００１２】
＜電動工具の概要について＞
電動工具１０は、筒状のハウジング本体部１１と、そのハウジング本体部１１の下面側から下方に突出するように形成されたグリップ部１２とを備えている。そして、前記グリップ部１２の上端位置（基端部）に、使用者が指先で引き操作するトリガ形式のスイッチレバー１３が設けられている。また、グリップ部１２の下端部（先端部）には、電動工具１０の電源となるバッテリ１７が連結されるバッテリ連結部１２ｈが設けられている。
電動工具１０のハウジング本体部１１には、先端部分に先端工具（図示省略）の回転トルクを調整するための筒状のチェンジリング１５が軸心回りに回転可能な状態で装着されている。また、チェンジリング１５の先端からはスピンドル２５（図２参照）の先端部が軸方向に突出しており、そのスピンドルの先端部周囲に前記先端工具を把持するチャック１４が装着されている。
さらに、ハウジング本体部１１には、チェンジリング１５の後側位置に設定トルクを表す目盛りが円周方向に形成されている。
【００１３】
ハウジング本体部１１には、図２に示すように、後側から順番にモータ２０、第１遊星歯車機構２１、第２遊星歯車機構２２、及び第３遊星歯車機構２３が同軸に収納されている。モータ２０は、電動工具１０の駆動源であり、そのモータ２０の回転が第１〜第３遊星歯車機構２１，２２，２３によって減速された後、スピンドル２５に伝達される。そして、スピンドル２５の回転力がチャック１４を介して先端工具（図示省略）に伝達される。
また、ハウジング本体部１１の上面には、図２に示すように、第１遊星歯車機構２１の上側の位置に速度切替え用レバー１８が設けられている。速度切替え用レバー１８は、前記先端工具の回転速度を切替えるためのレバーであり、その速度切替え用レバー１８の前側に照明ユニット４０が設置されている。
【００１４】
＜照明ユニットについて＞
照明ユニット４０は、電動工具１０を使用する際に先端工具及び被加工物を照らすためのものであり、図１、図３（Ａ）〜（Ｃ）等に示すように、光源となる平板状のＬＥＤ４１と、そのＬＥＤ４１を覆うカバー４４とを有している。ここで、図３（Ａ）は、前述のように図２のIII矢視部拡大図であり、図３（Ｂ）は、図３（Ａ）のB-B断面図、図３（Ｃ）は、図３（Ｂ）のC矢視拡大図、図３（Ｄ）は図３（Ｂ）のD矢視拡大図である。
ＬＥＤ４１は、図１に示すように、ハウジング本体部１１（以下、ハウジング１１という）の上面に形成された角形平面３１の中心位置に上向きに固定されている。ＬＥＤ４１は、図４の電気回路に示すように、電動工具１０のバッテリ１７を電源としており、スイッチレバー１３が引き操作されることで点灯するように構成されている。即ち、スイッチレバー１３が引き操作されてオンすると、そのオン信号が制御部４８に入力されて一定時間保持され、その時間保持されたオン信号がスイッチ部４７に出力される。これにより、スイッチ部４７が一定時間導通し、ＬＥＤ４１が点灯する。なお、抵抗４９は、ＬＥＤ４１の電流調整用の抵抗である。
【００１５】
前記ハウジング１１の上面には、角形平面３１の幅方向両側位置（左右両側位置）に前記カバー４４をハウジング１１に連結するための一対の突起部３３が形成されている。一対の突起部３３は、図３（Ｂ）（Ｃ）に示すように、カバー４４の回動中心側を幅方向両側から挟めるように構成されており、それら突起部３３の幅方向内側面３３ｅが角形平面３１に対して直角に形成されている。そして、突起部３３の幅方向内側面３３ｅ（以下、直角面３３ｅという）には、カバー４４の回動中心側に形成されたヒンジピン４４ｐが嵌合する円柱状凹部３３ｈが形成されている。また、突起部３３の直角面３３ｅには、図３（Ｄ）に示すように、円柱状凹部３３ｈを中心とする仮想円弧上にカバー４４の球体４４ｘ（後記する）が嵌合可能な複数の球状凹部３３ｒが所定位置に形成されている。
【００１６】
カバー４４は、ハウジング１１の角形平面３１及びＬＥＤ４１を覆う角形平板状のカバーである。カバー４４の左右両端面には、前述のように、回動中心側の位置にヒンジピン４４ｐが幅方向外側に突出するように形成されている。また、カバー４４の左右両端面には、前記ヒンジピン４４ｐよりも先端寄りの位置に、円筒状の深孔４４ｑ（図３（Ｃ）参照）がヒンジピン４４ｐと平行に形成されている。そして、前記深孔４４ｑにコイルスプリング４４ｂと前記球体４４ｘとが収納されている。ここで、前記コイルスプリング４４ｂは、前記球体４４ｘを深孔４４ｑの開口から突出させる方向に付勢されている。また、前記ヒンジピン４４ｐと球体４４ｘ間の距離は、前記突起部３３の円柱状凹部３３ｈから球状凹部３３ｒまでの距離に等しく設定されている。
このため、カバー４４のヒンジピン４４ｐを左右の突起部３３の円柱状凹部３３ｈに嵌合させた状態で、そのカバー４４をヒンジピン４４ｐ等の回りに回動させると、所定回動位置（後記する）で前記カバー４４の球体４４ｘが突起部３３の球状凹部３３ｒと嵌合するようになる。これにより、カバー４４はコイルスプリング４４ｂのバネ力で前記所定回動位置に保持される。
【００１７】
本実施形態では、突起部３３の球状凹部３３ｒは、例えば、図３（Ｄ）に示すように、第１の位置I、第２の位置II、及び第３の位置IIIの三箇所に形成されている。即ち、第１の位置Iに形成された球状凹部３３ｒに対してカバー４４の球体４４ｘが嵌合すると、前記カバー４４はハウジング１１の角形平面３１に対して平行な倒伏位置に保持される。また、第２の位置IIに形成された球状凹部３３ｒに対してカバー４４の球体４４ｘが嵌合すると、前記カバー４４はハウジング１１の角形平面３１に対して角度θ１で前方に傾斜する位置に保持される。さらに、第３の位置IIIに形成された球状凹部３３ｒに対してカバー４４の球体４４ｘが嵌合すると、前記カバー４４はハウジング１１の角形平面３１に対して角度θ２（θ２＞θ１）で前方に傾斜する位置に保持される。
なお、カバー４４をコイルスプリング４４ｂのバネ力に抗して回動させることで、カバー４４の球体４４ｘと突起部３３の球状凹部３３ｒとの嵌合を解除することができる。
即ち、カバー４４の球体４４ｘが本発明の突起に相当し、突起部３３の球状凹部３３ｒが本発明の凹部に相当する。
【００１８】
前記カバー４４の内側には、前記ＬＥＤ４１により上方に照射された光を前方に反射させるための鏡面４５が平板状に形成されている。鏡面４５は、カバー４４がハウジング１１の角形平面３１に対して角度θ１、あるいは角度θ２で前方に傾斜している状態で、ＬＥＤ４１から上方に照射された光を先端工具（図示省略）及び被加工物の方向に反射できるように構成されている。
また、前記カバー４４の表側先端には、倒伏位置に保持されたカバー４４を上方に引き上げる際に、指が掛けられる掛かり部４４ａが形成されている。
即ち、前記カバー４４の倒伏位置が本発明の光源遮蔽位置に相当し、角度θ１で前方に傾斜する位置、及び角度θ２で前方に傾斜する位置が本発明の光源露出位置に相当する。
【００１９】
上記照明ユニット４０を使用する場合には、カバー４４の掛かり部４４ａに指を掛けてカバー４４を引き上げ、そのカバー４４を角度θ１、あるいは角度θ２の前傾位置に保持する。次に、電動工具１０のスイッチレバー１３を引き操作してＬＥＤ４１を点灯させる。これにより、ＬＥＤ４１から上方に照射された光が前方に反射し、前記先端工具及び被加工物の周辺が照らされるようになる。
ここで、カバー４４の角度をθ１、あるいはθ２の間で切替えることにより、照明の範囲を調整することが可能になる。
【００２０】
＜本実施形態に係る電動工具の長所について＞
本実施形態に係る電動工具１０によると、照明の使用時にはカバー４４を光源露出位置まで回動させてＬＥＤ４１を露出させ、そのカバー４４の内側面に形成された鏡面４５でＬＥＤ４１の光を前方に反射させる。また、照明の不使用時にはカバー４４を光源遮蔽位置まで回動させて前記ＬＥＤ４１をカバーで覆う。このように、照明の使用、不使用に係わらず、ＬＥＤ４１は電動工具１０のハウジング１１の上面から動かないため、そのＬＥＤ４１に電力を供給するケーブル等もハウジング１１に対して固定できる。即ち、照明ユニット４０の可動部分をカバー４４のみにでき、さらにカバー４４に光源の収納部を設ける必要がないため、照明ユニット４０の構成を簡素化できる。
また、カバー４４の球体４４ｘと突起部３３の球状凹部３３ｒとがコイルスプリング４４ｂの力で嵌合することにより、カバー４４を前傾位置（光源露出位置）と倒伏位置（光源遮蔽位置）に保持する構成である。このため、カバー４４を確実に前傾位置（光源露出位置）と倒伏位置（光源遮蔽位置）に保持できるようになる。
また、カバー４４はハウジング１１に対する傾斜角度を調整できるように構成されているため、ＬＥＤ４１が前方を照らす範囲を調整できる。
【００２１】
＜変更例＞
ここで、本発明は上記実施形態に限定されるものではなく、本発明の要旨を逸脱しない範囲における変更が可能である。例えば、本実施形態では、鏡面４５を平板状に形成する例を示したが、鏡面４５を凸曲面状に形成することも可能である。これにより、ＬＥＤ４１の光が広範囲に反射し、電動工具１０の前方を広範囲で照らせるようになる。
また、ＬＥＤ４１をハウジング１１の角形平面３１の中央に一個配置する例を示したが、複数配置することも可能である。
また、カバー４４の傾斜角度をθ１とθ２との間で切替える例を示したが、カバー４４を任意の傾斜角度に保持する構成も可能である。
また、カバー４４に対して鏡面４５を固定する例を示したが、カバー４４に対して鏡面４５の角度を変えられるようにすることも可能である。
また、照明ユニット４０を電動工具１０のハウジング１１の上面に配置する例を示したが、ハウジング１１の側面に配置する構成も可能である。
【図面の簡単な説明】
【００２２】
【図１】本発明の実施形態１に係る電動工具を右前方から見た斜視図（Ａ図）、照明ユニットの部分の斜視図（Ｂ図）である。
【図２】電動工具を右側から見た一部破断側面図である。
【図３】図２のIII矢視部拡大図（Ａ図）、Ａ図のB-B断面図（Ｂ図）、Ｂ図のＣ部拡大図（Ｃ図）、及びＢ図のD矢視拡大図（Ｄ図）である。
【図４】照明ユニットの電気回路図である。
【図５】従来の電動工具の側面図（Ａ図）、及び照明ユニットの縦断面図（Ｂ図）である。
【符号の説明】
【００２３】
１１・・・・ハウジング本体部（ハウジング）
１８・・・・速度切替え用レバー
３１・・・・角形平面
３３ｒ・・・球状凹部（凹部）
４０・・・・照明ユニット
４１・・・・ＬＥＤ（光源）
４４・・・・カバー
４４ｘ・・・球体（突起）
４５・・・・鏡面
【図１】
0005090229.tif 000002
【図２】
0005090229.tif 000003
【図３】
0005090229.tif 000004
【図４】
0005090229.tif 000005
【図５】
0005090229.tif 000006